(57)【要約】【課題】洗剤泡を用いて洗浄力に優れ、洗い時間が短縮できるドラム式洗濯機を提供する。【解決手段】洗い行程において、少なくとも、第１の給水工程、洗剤泡生成工程、第２の給水工程および洗い工程を順次実行するようにし、第１の給水工程においては、洗い工程時の第１の所定水位よりも低い第２の所定水位まで第１の給水手段１７を制御して給水し、洗剤泡生成工程においては、駆動モータ１５を制御して回転ドラム１３を洗い工程における第１の所定回転速度より早い第２の所定回転速度で所定時間回転させる回転制御動作を実行し、第２の給水工程においては、第２の給水手段２３を制御して第１の所定水位まで給水し、その後、洗い工程を実行するようにしたもので、洗剤液と水を素早く洗濯物に含ませ、早い段階で洗剤液を十分に含んだ洗濯物をたたき洗いすることができるので、洗浄力が向上し、洗い時間が短縮できる。【選択図】図１
2006075478.tif 000002
【特許請求の範囲】
【請求項１】
略水平方向または傾斜方向に回転軸を有する回転ドラムと、前記回転ドラムを内包した外槽と、前記回転ドラムを回転させる駆動モータと、洗剤を収納する洗剤ケースと、前記洗剤ケースを介して前記外槽内に給水する第１の給水手段と、前記回転ドラムの前面開口部から前記回転ドラムの内部に向けて給水する第２の給水手段と、前記駆動モータ、第１の給水手段および第２の給水手段等を制御するとともに一連の動作を制御する制御手段とを備え、前記制御手段は、洗い行程において、少なくとも、第１の給水工程、洗剤泡生成工程、第２の給水工程および洗い工程を順次実行するようにし、前記第１の給水工程においては、洗い工程時の第１の所定水位よりも低い第２の所定水位まで前記第１の給水手段を制御して給水し、前記洗剤泡生成工程においては、前記駆動モータを制御して前記回転ドラムを洗い工程における第１の所定回転速度より早い第２の所定回転速度で所定時間回転させる回転制御動作を実行し、前記第２の給水工程においては、前記第２の給水手段を制御して前記第１の所定水位まで給水し、その後、前記洗い工程を実行するようにしたドラム式洗濯機。
【請求項２】
制御手段は、第１の給水工程において、第１の給水手段を制御して給水するとともに、回転ドラムを第１の所定回転速度で回転させるようにした請求項１記載のドラム式洗濯機。
【請求項３】
制御手段は、第２の給水工程において、第２の給水手段を制御して給水するとともに、回転ドラムを第１の所定回転速度で回転させるようにした請求項１または２に記載のドラム式洗濯機。
【請求項４】
外槽は、その内面下部に回転ドラムの回転方向と交差する方向に壁部を形成した請求項１〜３のいずれか１項に記載のドラム式洗濯機。
【発明の詳細な説明】
【技術分野】
【０００１】
本発明は、外槽内に、回転軸方向が水平方向もしくは水平方向から傾斜した方向で回転自在に支持された回転ドラム内で洗い、すすぎ、脱水等の行程を行うドラム式洗濯機に関するものである。
【背景技術】
【０００２】
従来の、この種のドラム式洗濯機について図５を用いて説明する。
【０００３】
図示するように、ドラム式洗濯機の洗濯機筐体１内に、サスペンション構造２によって支持された外槽３内と、外槽３に回転自在に支持され周面に多数の透孔４が形成された回転ドラム５が配設されている。回転ドラム５は、駆動モータ６によって回転駆動される。洗濯機筐体１の正面側に開閉自在に設けられた扉体７を開くことにより外槽３の正面側開口部３ａ及び回転ドラム５の正面側開口部５ａを通して洗濯物を回転ドラム５内から出し入れすることができるようになっている。
【０００４】
前記扉体７を開いて回転ドラム５内に洗濯物を投入し、洗剤を投入して運転を開始すると、外槽３内に給水され、給水された水は透孔４を通じて回転ドラム５内にも侵入する。駆動モータ６により回転ドラム５が所定回転速度で回転駆動されると、回転ドラム５に収容された洗濯物は、回転ドラム５の内周面に設けられた撹拌突起８に引っ掛けられ回転方向に持ち上げられ、適当な高さから落下するので、洗濯物に叩き洗いの作用が加えられて洗濯が行なわれる。
【０００５】
この洗い行程の後、汚れた洗濯水は排水され、新たに給水された水を用いてすすぎ行程が実施され、すすぎ行程が終了すると回転ドラム５を高速回転させる脱水行程が実施される。これらの各行程は所定の制御手順に基づいて自動実行される。
【０００６】
上記構成はドラム式洗濯機の一般的な構成であって、上記構成に加えて洗浄性能を向上させるために外槽内に給水された水を汲み上げて回転ドラム内に供給し、洗濯物に水を十分に給水させることにより洗浄力を高めるようにしたものもある（例えば、特許文献１参照）。
【特許文献１】特開平９−２１５８９３号公報
【発明の開示】
【発明が解決しようとする課題】
【０００７】
しかしながら、このような従来のドラム式洗濯機では、洗剤が十分に溶解されないまま洗い行程が実行され、また洗濯物が十分水分を含まない状態でたたき洗いにならないまま洗い行程が実行されるので、洗浄力の不足や、一定の洗浄力を確保するには洗いに時間がかかるという課題があった。
【０００８】
本発明は、上記従来の課題を解決するもので、洗剤泡を用いて洗浄力に優れ、洗い時間が短縮できるドラム式洗濯機を提供することを目的とする。
【課題を解決するための手段】
【０００９】
上記目的を達成するために、本発明のドラム式洗濯機は、略水平方向または傾斜方向に回転軸を有する回転ドラムと、前記回転ドラムを内包した外槽と、前記回転ドラムを回転させる駆動モータと、洗剤を収納する洗剤ケースと、前記洗剤ケースを介して前記外槽内に給水する第１の給水手段と、前記回転ドラムの前面開口部から前記回転ドラムの内部に向けて給水する第２の給水手段と、前記駆動モータ、第１の給水手段および第２の給水手段等を制御するとともに一連の動作を制御する制御手段とを備え、前記制御手段は、洗い行程において、少なくとも、第１の給水工程、洗剤泡生成工程、第２の給水工程および洗い工程を順次実行するようにし、前記第１の給水工程においては、洗い工程時の第１の所定水位よりも低い第２の所定水位まで前記第１の給水手段を制御して給水し、前記洗剤泡生成工程においては、前記駆動モータを制御して前記回転ドラムを洗い工程における第１の所定回転速度より早い第２の所定回転速度で所定時間回転させる回転制御動作を実行し、前記第２の給水工程においては、前記第２の給水手段を制御して前記第１の所定水位まで給水し、その後、前記洗い工程を実行するようにしたものである。
【００１０】
これによって、洗剤泡生成工程においては、外槽内に洗剤と水が投入された状態で、回転ドラムを第２の所定回転速度で回転させるように回転制御され、外槽内に給水された洗剤を含む水には回転ドラムの回転方向に水流が発生し、外槽内の水は少ない給水量の中に洗剤を含むため高濃度の洗剤液となっており、回転ドラムの回転方向の水流により激しく泡立ち、発生した泡は外槽と回転ドラムの間から回転ドラムの開口部を通じて回転ドラム内に入り、回転ドラムの回転により攪拌されている洗濯物に満遍なく付着するので、高濃度の洗剤液が付着した洗濯物には高濃度の洗剤液が浸透して洗浄力の高い状態になり、その後、第２の給水工程において、第２の給水手段で回転ドラムの前面開口部から内部に向けて給水するので、洗剤液と水を素早く洗濯物に含ませ、早い段階で洗剤液を十分に含んだ洗濯物をたたき洗いすることができるので、洗浄力が向上し、洗い時間が短縮できるものである。
【発明の効果】
【００１１】
本発明のドラム式洗濯機は、洗剤の溶解スピードを速めて、泡洗浄を行い、その後、洗濯物の水分浸透スピードを速めることにより、洗浄力を向上させ、洗い時間が短縮できる。
【発明を実施するための最良の形態】
【００１２】
第１の発明のドラム式洗濯機は、略水平方向または傾斜方向に回転軸を有する回転ドラムと、前記回転ドラムを内包した外槽と、前記回転ドラムを回転させる駆動モータと、洗剤を収納する洗剤ケースと、前記洗剤ケースを介して前記外槽内に給水する第１の給水手段と、前記回転ドラムの前面開口部から前記回転ドラムの内部に向けて給水する第２の給水手段と、前記駆動モータ、第１の給水手段および第２の給水手段等を制御するとともに一連の動作を制御する制御手段とを備え、前記制御手段は、洗い行程において、少なくとも、第１の給水工程、洗剤泡生成工程、第２の給水工程および洗い工程を順次実行するようにし、前記第１の給水工程においては、洗い工程時の第１の所定水位よりも低い第２の所定水位まで前記第１の給水手段を制御して給水し、前記洗剤泡生成工程においては、前記駆動モータを制御して前記回転ドラムを洗い工程における第１の所定回転速度より早い第２の所定回転速度で所定時間回転させる回転制御動作を実行し、前記第２の給水工程においては、前記第２の給水手段を制御して前記第１の所定水位まで給水し、その後、前記洗い工程を実行するようにしたことにより、洗剤泡生成工程においては、外槽内に洗剤と水が投入された状態で、回転ドラムを第２の所定回転速度で回転させるように回転制御され、外槽内に給水された洗剤を含む水には回転ドラムの回転方向に水流が発生し、外槽内の水は少ない給水量の中に洗剤を含むため高濃度の洗剤液となっており、回転ドラムの回転方向の水流により激しく泡立ち、発生した泡は外槽と回転ドラムの間から回転ドラムの開口部を通じて回転ドラム内に入り、回転ドラムの回転により攪拌されている洗濯物に満遍なく付着するので、高濃度の洗剤液が付着した洗濯物には高濃度の洗剤液が浸透して洗浄力の高い状態になり、その後、第２の給水工程において、第２の給水手段で回転ドラムの前面開口部から内部に向けて給水するので、洗剤液と水を素早く洗濯物に含ませ、早い段階で洗剤液を十分に含んだ洗濯物をたたき洗いすることができるので、洗浄力が向上し、洗い時間が短縮できるものである。
【００１３】
第２の発明のドラム式洗濯機は、特に、第１の発明の制御手段を、第１の給水工程において、第１の給水手段を制御して給水するとともに、回転ドラムを第１の所定回転速度で回転させるようにしたことにより、給水により洗濯物の一部分のみが濡れることを防止でき、全体的に濡れるようにしたので、次工程の洗剤泡生成工程での第２の所定回転速度への立ち上げを円滑に行うことができる。
【００１４】
第３の発明のドラム式洗濯機は、特に、第１または第２の発明の制御手段を、第２の給水工程において、第２の給水手段を制御して給水するとともに、回転ドラムを第１の所定回転速度で回転させるようにしたことにより、洗剤泡を洗濯物に全体的に浸透させるとともに、回転の遠心力により、洗剤泡を洗濯物にさらに強く素早く浸透させることができるので、さらに洗浄力が向上し、洗い時間が短縮できるものである。
【００１５】
第４の発明のドラム式洗濯機は、特に、第１〜第３のいずれか１つの発明の外槽は、その内面下部に回転ドラムの回転方向と交差する方向に壁部を形成したことにより、回転ドラムの回転により発生した水流は、回転ドラムの回転方向と交差する方向に形成された壁面によって乱流を生じ、高濃度の洗剤液がさらに激しく泡立つので、洗剤泡の発生を促進することができる。
【００１６】
以下、本発明の実施の形態について、図面を参照しながら説明する。なお、この実施の形態によって本発明が限定されるものではない。
【００１７】
（実施の形態１）
図１は本発明の第１の実施の形態におけるドラム式洗濯機の縦断面図、図２は、同ドラム式洗濯機の制御装置の構成を示すブロック図、図３は、同ドラム式洗濯機の制御手段による給水制御及び回転制御の手順を示すフローチャート、図４は、同ドラム式洗濯機の外槽および回転ドラムの要部断面図である。
【００１８】
図において、ドラム式洗濯機の洗濯機筐体９内には、サスペンション構造１０および防振ダンパー１１によって外槽１２が斜め傾斜した状態に支持され、外槽１２内には有底円筒形に形成された回転ドラム１３が回転自在に支持されている。回転ドラム１３の内周面には複数位置に撹拌突起１４が設けられており、回転ドラム１３は、外槽１２の背面に取り付けられた駆動モータ１５によって回転駆動されると共に、その回転速度や回転方向が変えられるようになっている。洗濯機筐体９の正面側には、開閉自在の扉体１６が設けられている。
【００１９】
第１の給水弁（第１の給水手段）１７には、第１給水ホース１８の一端が接続され、第１給水ホース１８の他端は洗剤１９ａを収納する洗剤ケース１９に接続され、さらに洗剤ケース１９の下部に第２給水ホース２０の一端が接続され、第２給水ホース２０の他端が外槽１２に接続されて、外槽１２内に給水できるようにしている。
【００２０】
洗剤ケース１９の上面には、第１給水ホース１８に連通し水をシャワー状に出す複数の注水穴２１が設けられ、注水穴２１より出たシャワー状の水は洗剤投入箱２２上の洗剤１９ａの上に落下し、洗剤１９ａとともに外槽１２内に流れ落ちる。第２の給水弁（第２の給水手段）２３には、第３の給水ホース２４の一端が接続され、第３給水ホース２４の他端は、注水口金部２５に接続されている。注水口金部２５は、回転ドラム１３の内部方向へ横方向に広がったスリット状に開口しており、注水口金部２５からの注水は、回転ドラム１３内に薄い膜状に全体的に広がるように注水される。
【００２１】
本実施の形態のドラム式洗濯機には、さらに外槽１２内の洗濯水の水位を検知する水位検知手段２７、外槽１２内の水を外部に排水するための排水弁２８などが配設され、また、外槽１２の最下部には回転ドラム１３の回転方向と直交する方向に排水溝２９が形成されている。
【００２２】
制御装置３０は、図２に示すように、マイクロコンピュータによって構成された制御手段３１を備え、制御手段３１は、設定手段３２から入力される運転コースの選択などの設定入力に応じて、記憶手段３３に記憶された制御プログラムを用いてパワースイッチング手段３４に制御指令を出力する。パワースイッチング手段３４はＳＣＲ等のスイッチング素子を用いて構成され、制御手段３１から出力される制御指令に応じて駆動モータ１５、第１の給水弁１７、第２の給水弁２３、排水弁２８などをＯＮ／ＯＦＦ制御する。
【００２３】
次に、この制御手段３１による制御動作について、図１〜図４を参照して以下に説明する。
【００２４】
扉体１６を開いて回転ドラム１３内に洗濯物を投入し、洗剤ケース１９内の洗剤投入箱２２に所定量の洗剤を投入して電源スイッチ３５をＯＮし、洗濯機筐体９の表面上に設けられた操作パネル（図示せず）にある設定手段３２から洗濯物の種類に応じて運転コースを選択入力し、運転開始の入力を行うことにより、制御手段３１は設定入力に対応する制御プログラムを記憶手段３３から読み出し、制御手順に応じた制御動作を開始する。
【００２５】
最初に、制御手段３１は、駆動モータ１５を制御することにより、回転ドラム１３を回転させて布量検知手段３６で洗濯物の量を検知する。布量検知手段３６は、洗濯物の量に応じて駆動モータ１５が受ける負荷の変化から洗濯物の量を検知するもので、検知された洗濯物の量は制御手段３１に入力され、記憶手段３３に記憶される。洗い行程での水は、布量検知手段３６で検知された洗濯物の量に応じて決定される第１の所定水位まで外槽１２内に供給されるようになっている。
【００２６】
まず、洗い行程の初めの給水工程が開始される。給水工程は、図３に示すように、第１の給水工程、洗剤泡生成工程、第２の給水工程からなり、給水制御と回転ドラム３の回転制御とが実行される。以下、図３を用いて給水工程のフローを説明する。
【００２７】
まず、給水工程が開始されると（ステップ１００）、第１の給水工程が実行される。第１の給水工程において、制御手段２１は、第１の給水弁１７を開いて外槽１２内に給水する制御指令をパワースイッチング手段３４に出力する。この制御動作により第１の給水弁１７が開かれて第１の給水弁１７に接続された第１給水ホース１８を通り、洗剤ケース１９に流れ込み、洗剤ケース１９の上面に設けた複数の注水穴２１を通り、シャワー状になって洗剤投入箱２２上に注がれ、洗剤投入箱２２上の洗剤１９ａは、このシャワー状の水とともに流れ落ち、洗剤ケース１９の下部に接続した第２給水ホース２０を通り、外槽１２内に流れ出る（ステップ１１０）。
【００２８】
この第１の給水手段による給水（ステップ１１０）と同時に、制御手段２１は、駆動モータ１５に第１の所定回転速度で回転ドラム１３を回転駆動する制御指令を出力するので、回転ドラム１３は、第１の所定回転速度で正転方向に連続回転駆動される（ステップ１２０）。
【００２９】
ここで、第１の所定回転速度は、回転ドラム１３内に収容された洗濯物が、回転ドラム１３の回転により回転方向に持ち上げられ、回転に伴う慣性や遠心力よりも自重が勝る高さ位置に移動したとき回転ドラム１３の下方内周面上に落下する挙動を示す回転速度である。この第１の所定回転速度は、回転ドラム１３の直径が５００±５０ｍｍ程度であるとき、３５±５ｒ／ｍｉｎ程度の回転速度で、この回転速度になるように駆動モータ１５を回転制御することにより、上記のような洗濯物の挙動が得られる。
【００３０】
そして、水位検知手段２７で、洗い行程時の第１の所定水位より低い第２の所定水位まで水が供給されたことを検知する（ステップ１１１）と、制御指令をパワースイッチング手段３４に出力し、第１の給水弁１７が閉じられ給水は停止され（ステップ１１２）、それと同時に、回転ドラム１３の正転方向への連続回転駆動も停止する（ステップ１２１）。
【００３１】
以上の第１の給水工程においては、回転ドラム１３が停止した状態で給水した場合に洗濯物の底部分の一部分のみが濡れることを防止でき、全体的に濡れるようにしたので、次工程の洗剤泡生成工程での第２の所定回転速度への立ち上げ時に、洗濯物の一部分だけが濡れた場合にその部分の重量が増しアンバランスになり、第２の所定回転速度への立ち上がりに伴って、水槽１２が大きく振れてしまうといった問題を防止することができ、回転ドラム１３の次工程の洗剤泡生成工程での第２の所定回転速度への立ち上げを円滑に行うことができる。
【００３２】
次に、洗剤泡生成工程が実行される。洗剤泡生成工程において、制御手段３１は、駆動モータ１５に第２の所定回転速度で回転ドラム１３を回転駆動する制御指令を出力するので、回転ドラム１３は、第１の所定回転速度より早い第２の所定回転速度で正転方向に連続回転駆動される（ステップ１２２）。
【００３３】
ここで、第２の所定回転速度は、回転ドラム１３の回転に伴う遠心力により洗濯物が回転ドラム１３の内周面に張り付く程度の回転速度であり、回転ドラム１３の直径が５００±５０ｍｍ程度であるとき、９０〜１４０ｒ／ｍｉｎ程度の回転速度となる。この第２の所定回転速度で回転ドラム１３が回転駆動されることにより、少ない給水量中に洗剤が混入した高濃度の洗剤液は回転ドラム３の回転に伴って水流が発生し泡が発生しやすい状態となる。
【００３４】
図１および図４に示すように、外槽１２の最下部には回転ドラム１３の回転方向（矢印Ａ方向）と直交する方向に排水溝２９が形成されており、排水溝２９の側壁２９ａは水流方向（矢印Ｂ方向）に交差しているので、この側壁２９ａによって水流に乱流（矢印Ｃ）が生じ、高濃度に洗剤が混入した洗濯水は乱流によって泡立った状態となる。
【００３５】
大量に発生した洗剤泡は外槽１２と回転ドラム１３の間に充満して上昇し、開放されている前面開口部２６から回転ドラム１３内に次々と侵入して洗濯物に付着する。第２の所定回転速度で回転する回転ドラム１３の内周面には洗濯物が張り付いた状態にあり、回転ドラム１３の中央に空いた空間に洗剤泡が侵入しやすく、洗濯物には洗剤泡が付着する。
【００３６】
洗剤泡を汚れた洗濯物の表面あるいは内部に浸透させると、洗剤泡の親油基が油汚れ及び油に付着した粒子汚れに結合して持ち去ることになる。また、洗剤泡が洗濯物を通過する際に破泡すると、洗濯物に高濃度の洗剤液が染み込むことになり、汚れが落ちやすい状態になるため、洗剤泡による洗濯物の洗浄が可能となる。このように洗剤液を体積の大きい洗剤泡にして回転ドラム１３内の洗濯物に付着浸透させることにより、汚れに洗剤成分が作用しやすくなり、高濃度の洗剤液が染み込みやすくなって洗いむらが抑制され、洗浄力が向上すると同時に洗濯時間を短縮させることができる。
【００３７】
充分な量に発生させた洗剤泡が回転ドラム１３内に侵入して洗濯物が洗剤泡にまみれた状態になる所定時間が経過した後（ステップ１２３）、制御手段３１は、駆動モータ１５に回転ドラム１３を停止する制御指令を出力するので、回転ドラム３は停止する（ステップ１２４）。
【００３８】
次に、第２の給水工程が実行される。第２の給水工程において、制御手段３１は、第２の給水弁２３を開いて外槽１２内に給水する制御指令をパワースイッチング手段３４に出力すると同時に、回転ドラム１３が第１の所定回転速度で正回転・休止・第１の所定回転速度で反回転・休止の動作を行う制御指令をパワースイッチング手段３４に出力する。この制御動作により第２の給水手段である第２の給水弁２３が開かれて、第３給水ホース２４を通り、注水口金部２５から、回転ドラム１３の内部に向けて給水される（ステップ１１３）。そして、この給水と併行して、回転ドラム１３は、第１の所定回転速度で正回転・休止・第１の所定回転速度で反回転・休止の動作を行う（ステップ１２５）。
【００３９】
回転ドラム１３の内周面には複数位置に撹拌突起１４が設けられており、回転ドラム１３が第１の所定速度で回転すると、撹拌突起１４は回転ドラム１３の内周面に接する洗濯物を引っ掛けて回転方向に持ち上げる。洗濯物はその自重が回転に伴う慣性や遠心力に勝る高さ位置まで持ち上げられたとき落下するので、回転ドラム１３内に堆積する洗濯物も次々と持ち上げられて移動し、上方から落下するので、洗濯物の位置が次々と入れ替わり、注水口金部２５から、回転ドラム１３の内部の洗濯物に向けて薄い膜状に全体的に広がって給水される水分が、全ての洗濯物にすばやく供給されることとなる。このとき、洗濯物は泡にまみれているため、泡は給水される水分によって洗濯物内部にまで浸透される。また、洗濯物に泡と水を素早く染み込ませることで、早い段階でたたき洗いを実行することができる。
【００４０】
給水された外槽１２内の水位は、水位検知手段２７によって検出され、水位が第１の所定水位になったとき（ステップ１１４）、水位検知手段２７は検知出力を制御手段３１に入力するので、制御手段３１は、第２の給水弁２３を閉じて給水を停止する制御指令をパワースイッチング手段３４に出力し、給水は停止される（ステップ１１５）。これにより、第２の給水工程は終了する。このとき、回転ドラム１３は、第１の所定回転速度で正回転・休止・第１の所定回転速度で反回転・休止の動作を行っており、この動作を続けたまま、次工程の洗い工程に進む（ステップ１０１）。
【００４１】
回転ドラム１３が第１の所定回転速度で正回転・休止・第１の所定回転速度で反回転・休止の動作を所定時間行う洗い工程を行った後、すすぎ行程、脱水行程が実行され全行程が終了する。洗い工程、すすぎ行程および脱水行程は従来技術と同様に実施することができるので、その説明は省略する。
【００４２】
なお、上記実施の形態では、洗い行程時に、外槽１２内に水を供給する際の第１の所定水位を、布量検知手段３６で検知された洗濯物の量に応じて決定するようにしたが、一定水位であっても、複数の水位を洗濯物の量、例えば、多め、少なめで使用者が選択する水位であっても良い。
【００４３】
また、上記実施の形態では、注水口金部２５は、回転ドラム１３の内部方向へ横方向に広がったスリット状に開口しており、注水口金部２５からの注水は、回転ドラム１３内に薄い膜状に広がるように注水されるよう構成したが、注水口金部２５からの注水が、回転ドラム１３内にシャワー状で広がるように注水されるよう構成しても、同様の効果を得ることができる。
【００４４】
また、上記実施の形態では、回転ドラム１３を傾斜配置した構成を示したが、回転ドラム１３を水平方向に配置した場合においても、回転ドラム１３の回転速度を変更することにより同様の効果を得ることができる。
【産業上の利用可能性】
【００４５】
以上のように、本発明にかかるドラム式洗濯機は、給水制御及び回転ドラムの回転制御を行って生成する洗剤泡を洗濯物に浸透させることができ、また、その後、ドラムの前面開口部から回転ドラムの内部に向けて給水するので、洗剤液と水を素早く洗濯物に含ませ、早い段階で洗剤液を十分に含んだ洗濯物をたたき洗いすることができるので、洗濯時間を短縮してランニングコストを削減したドラム式洗濯機を提供することができ、乾燥機能を有するドラム式洗濯乾燥機にも適用できるものである。
【図面の簡単な説明】
【００４６】
【図１】本発明の実施の形態１におけるドラム式洗濯機の縦断面図
【図２】同ドラム式洗濯機の制御装置の構成を示すブロック図
【図３】同ドラム式洗濯機の制御手段による給水制御及び回転制御の手順を示すフローチャート
【図４】同ドラム式洗濯機の外槽および回転ドラムの要部断面図
【図５】従来のドラム式洗濯機の縦断面図
【符号の説明】
【００４７】
１２  外槽
１３  回転ドラム
１５  駆動モータ
１７  第１の給水弁（第１の給水手段）
１９  洗剤ケース
２３  第２の給水弁（第２の給水手段）
３１  制御手段
【図１】
2006075478.tif 000003
【図２】
2006075478.tif 000004
【図３】
2006075478.tif 000005
【図４】
2006075478.tif 000006
【図５】
2006075478.tif 000007